(57)【要約】【課題】非居室の排気の熱回収を行うに際し、熱回収の要否を確実に判断することができる熱回収型換気システムを提供すること。【解決手段】排気を屋外に排出する排気通路１０と、室内に給気する給気通路１２と、排気通路１０を流れる排気の熱を回収して給気通路に導く熱交換器３０と、を備え、排気通路１０は、浴室暖房乾燥機３８を備えた浴室からの排気が導かれるように構成されている熱回収型換気システム。浴室暖房乾燥機３８の使用状態に基づいて冬季を判定する冬季判定手段と、浴室の温度状態が所定温暖状態であるかを検知する温暖検知手段１００と、が設けられ、冬季判定手段により冬季と判定され、且つ温暖検知手段１００により所定温暖状態であることが検知されると、熱回収モードになって浴室からの排気の熱が回収される。【選択図】      図１
2004293869.tif 000002
【特許請求の範囲】
【請求項１】
室内の排気を屋外に排出する排気通路と、屋外から室内に給気する給気通路と、前記排気通路を流れる排気の熱を回収して前記給気通路に導く熱伝導手段と、を備え、前記排気通路は、暖房機を備えた非居室からの排気が導かれるように構成され、更に、前記非居室からの排気の熱を前記熱伝導手段で回収する熱回収モードとこの排気の熱を回収しない非回収モードとに切り換えるためのモード切換手段と、前記モード切換手段を制御する制御手段とが設けられている熱回収型換気システムであって、
前記非居室の前記暖房機の使用状態に基づいて冬季を判定する冬季判定手段と、前記非居室の温度状態が所定温暖状態であるかを検知する暖房検出手段と、が設けられており、
前記制御手段は、前記冬季判定手段により冬季と判定され、且つ前記温暖検知手段により前記非居室の温度状態が前記所定温暖状態であることが検知されたときに、前記モード切換手段を制御して前記非回収モードから前記熱回収モードに切り換えることを特徴とする熱回収型換気システム。
【請求項２】
前記制御手段は、前記熱回収モードの状態において前記温暖検知手段により前記非居室の温度状態が所定温暖状態でないと検知されたときに、前記モード切換手段を制御して前記熱回収モードから前記非回収モードに切り換える請求項１に記載の熱回収型換気システム。
【請求項３】
前記冬季判定手段は、前記非居室の前記暖房機が所定日数連続して運転されたときに冬季であると判定するとともに、前記暖房機が所定日数連続して運転されなかったときに冬季でないと判定する請求項１又は２に記載の熱回収型換気システム。
【請求項４】
前記温暖検知手段は、前記非居室の前記暖房機による温暖状態が所定温暖状態に達したかを検知する請求項１〜３のいずれかに記載の熱回収型換気システム。
【請求項５】
前記温暖検知手段は、前記非居室の温度を検知する温度検知手段と、前記温度検知手段の検知温度に基づいて温暖状態を判定する温暖判定手段とを含み、前記温暖判定手段は、前記温度検知手段の検知温度が設定暖房温度を超えたときに前記所定温暖状態に達したと判定し、また前記温度検知手段の検知温度が設定下限温度よりも低下したときに前記所定温暖状態でないと判定する請求項４に記載の熱回収型換気システム。
【請求項６】
前記温暖検知手段は、更に、前記非居室の温度変化率を検知する温度変化率演算手段と、前記温度変化率演算手段により演算された温度変化率に基づいて温暖状態を判定する第２温暖判定手段とを含み、前記第２温暖判定手段は、前記温度変化率演算手段により演算された温度変化率が所定増加変化率値よりも小さくなると前記所定温暖状態に達したと判定し、前記温度変化率が所定下降変化率値よりも小さくなると所定温暖状態から外れたと判定する請求項４に記載の熱回収型換気システム。
【請求項７】
前記排気通路には、暖房機が設置された複数の非居室からの排気が導かれるように構成され、前記冬季判定手段は、前記複数の非居室の前記暖房機のうちいずれか一つの使用状態に基づいて冬季の判定を行う請求項１〜６のいずれかに記載の熱回収型換気システム。
【発明の詳細な説明】
【０００１】
【発明の属する技術分野】
本発明は、熱回収型換気システム、特に、非居室から排出される排気の熱を回収する熱回収型換気システムに関する。
【０００２】
【従来の技術】
一般に、家庭のリビングやダイニングなどの居室では、冬季は暖房が多用されているが、換気を行うと、居室からの排気と共に居室の熱が屋外に放出されてしまい、居室の温度が低下して暖房効率が低下する。この不都合を防止するため、居室用の換気システムとして、排気の熱を回収するようにした熱回収型の換気システムが採用されるようになっている。
【０００３】
この熱回収型換気システムは、居室からの排気を屋外に排出する排気通路と、屋外の新鮮な外気を居室に給気する給気通路と、排気通路の排気の熱を回収して給気通路に導く熱伝導手段とを備えている。この熱回収型換気システムでは、居室を換気すると、居室からの排気が排気通路を通して屋外に排出され、屋外の空気が吸気通路を通して居室に送給され、熱伝導手段は排気の熱を給気に伝導し、排気の熱で暖められた給気が居室に供給される。これによって、居室の温度低下が抑制され、暖房効率の向上を図ることができる。
【０００４】
一方、浴室、脱衣室やトイレなどの非居室では、普段は暖房を行わないから、非居室からの排気を上述した熱回収型換気システムを通して熱回収を行っても回収される熱量が少なく、システム運転に必要なエネルギーを考慮すると、熱回収を行わない方が全体的なエネルギー効率が良好なものとなる。
【０００５】
このようなことから、この熱回収型換気システムを非居室にも適用するためには、排気通路で熱回収を行う場合と熱回収を行わない場合の２つのモードに切り換える必要がある。特に、浴室では、通常冬場のみ浴室暖房乾燥機などで浴室を暖房したり、給湯やシャワーなどで暖めたりするものの、夏場は暖房されず、熱回収を行うとすれば冬季限定となることから、熱回収を行うかどうかを随時判断する必要が生じる。
【０００６】
このような要望を満足するために、２モード（熱回収モード及び非回収モード）に切換可能な熱回収型換気システムが提案されている（例えば、特許文献１参照）。この熱回収型換気システムでは、室外と屋内の温度差でもって熱伝導手段で熱回収を行うか否かを決定するように構成されている。
【０００７】
また、換気するのに季節を判断するようにした空調換気装置が提案されている（例えば、特許文献２参照）。この空調換気装置では、外光照度から日照時間を計測し、日照時間に基づいて季節を判断している。
【０００８】
【特許文献１】
特公昭６２−１４７４４号公報
【特許文献２】
特開平８−５１１４号公報
【０００９】
【発明が解決しようとする課題】
ところが、特許文献１の換気システムでは、外気温度と屋内温度との温度差により熱回収モードと非回収モードを判断しており、それ故に、この熱回収を判断する外気温度と屋内温度を検知するセンサの配設位置に大きな影響を受け、これらの配設位置が異なると温度差が大きく変化し、設置される建築物ごとに適切な温度差設定を行う必要がある。更に、熱回収モード及び非回収モードの切換えの精度を向上させるためには、外気温度と屋内温度との正確な温度差が必要となり、この場合、年間を通した屋内、屋外の温度データが必要となる。
【００１０】
また、特許文献２の換気装置では、上述したように、外光照度から日照時間を計測して季節を判断しており、それ故に、外光照度による日照時間の計測は、センサの設置位置、天候などの影響を大きく受け、更に地域差もあり、センサの設置位置ごとに通年の日照時間データが必要となる。
【００１１】
尚、ユーザーが手動操作で熱回収するかどうかを切り換えるようにすることも可能であるが、この場合、ユーザーが冬季かどうかを判断することになる。ところが、熱回収型換気システムは、一般にかなり複雑な機能をもつシステムであることから、ユーザーには、システムに関するかなりの理解度が要求され、どのタイミングで切り換えを行うべきか判断が難しく、ユーザーの切換え忘れが発生するおそれが高いという問題がある。
【００１２】
本発明の目的は、非居室の排気の熱回収を行うに際し、熱回収の要否を確実に判断することができる熱回収型換気システムを提供することである。
【００１３】
【課題を解決するための手段】
本発明の請求項１に記載の熱回収型換気システムは、室内の排気を屋外に排出する排気通路と、屋外から室内に給気する給気通路と、前記排気通路を流れる排気の熱を回収して前記給気通路に導く熱伝導手段と、を備え、前記排気通路は、暖房機を備えた非居室からの排気が導かれるように構成され、更に、前記非居室からの排気の熱を前記熱伝導手段で回収する熱回収モードとこの排気の熱を回収しない非回収モードとに切り換えるためのモード切換手段と、前記モード切換手段を制御する制御手段とが設けられている熱回収型換気システムであって、
前記非居室の前記暖房機の使用状態に基づいて冬季を判定する冬季判定手段と、前記非居室の温度状態が所定温暖状態であるかを検知する温暖検知手段と、が設けられており、
前記制御手段は、前記冬季判定手段により冬季と判定され、且つ前記温暖検知手段により前記非居室の温度状態が前記所定温暖状態であることが検知されたときに、前記モード切換手段を制御して前記非回収モードから前記熱回収モードに切り換えることを特徴とする。
【００１４】
この熱回収型換気システムにおいては、冬季判定手段は浴室やトイレなどの非居室の暖房機の使用状態に基づいて冬季かを判定し、また温暖検知手段は非居室の温度状態により所定温暖状態であるかを検知する。冬季判定手段により冬季と判定され、且つ温暖検知手段が所定温暖状態であると検知すると、制御手段はモード切換手段を制御し、非居室からの排気の熱を熱伝導手段で回収しない非回収モードからこの排気の熱を回収する熱回収モードに切り換わる。これによって、非居室から排気通路を通して排出される排気の熱が、熱伝導手段の作用によって、給気通路を通して室内に導かれる給気に伝達され、暖められた給気が室内に導かれ、かくして、排気の熱を回収して室内の暖房効率を高めることができる。このように、冬季に非居室が暖まって所定温暖状態になってはじめて熱回収モードに切り換えられるため、非居室の換気を行う場合、熱回収の要否を確実に判断することができる。
【００１５】
特に、非居室が浴室である場合、その他の非居室に比較し空気が十分に暖められるため、この空気の熱を回収することによって、省エネルギーに大きな寄与を果たす。
【００１６】
尚、非居室の温度状態が所定温暖状態であるとは、非居室が暖房機で暖められた場合の他、暖房機などの暖房を行わずに暖められた場合を含む。非居室を暖房していなくても、冬季と判定し、且つ所定温暖状態であると検知したときには、排気の熱を回収した方が省エネルギー性が増すからである。特に、非居室が浴室である場合、浴室暖房機で浴室内が暖められ、またシャワーや湯張りなどによって浴室内が暖められ、これらによって所定温暖状態になることを含んでいる。
【００１７】
また、暖房機とは、非居室を暖房するための暖房機や、非居室が浴室である場合に浴室内を暖房、換気、乾燥するための浴室暖房乾燥機などであり、この浴室暖房乾燥機である場合、それ自体が換気機能をも有しているので、この熱回収型換気システムの浴室ユニットとして簡単に且つ容易に適用することができる。また、浴室暖房乾燥機である場合、浴室暖房運転だけでなく、換気と温風吹出しを同時に行って浴室の乾燥を行う乾燥運転のときにも排気の熱を回収することによって、更に省エネルギー性を図ることができる。
【００１８】
本発明の請求項２に記載の熱回収型換気システムは、請求項１において、前記制御手段は、前記熱回収モードの状態において前記温暖検知手段により前記非居室の温度状態が所定温暖状態でないと検知されたときに、前記モード切換手段を制御して前記熱回収モードから前記非回収モードに切り換えることを特徴とする。
【００１９】
この熱回収型換気システムにおいては、非居室が所定温暖状態でなくなると、熱回収モードから非回収モードに切り換えられる。換気により非居室から排気していくと、非居室の温度が次第に低下していくために、熱回収はある程度で停止する必要がある。熱回収モードの状態において、温暖検知手段により非居室の温度状態が所定温暖状態でないと検知されると、熱回収モードから非回収モードに切り換わり、これによって、熱回収が過度に行われて、居室への供給空気の温度が不必要に低下して居室の快適性が損なわれる不都合が防止される。特に、非居室が浴室である場合、温度低下の抑制による快適性の維持効果が顕著なものとなる。
【００２０】
本発明の請求項３に記載の熱回収型換気システムは、請求項１又は２において、前記冬季判定手段は、前記非居室の前記暖房機が所定日数連続して運転されたときに冬季であると判定するとともに、前記暖房機が所定日数連続して運転されなかったときに冬季でないと判定することを特徴とする。
【００２１】
この熱回収型換気システムにおいては、非居室の暖房機の稼働状況によって季節の変化を検知し、冬季判定手段はこの稼働状況によって冬季を判定する。外気が寒くなると、暖房機の使用が次第に多くなることから、全く使用しない状態から使用日数が次第に増え、連続して使用するようになり、所定日数連続して使用することは、外気が寒くなったということであり、このように所定日数連続使用すると、冬季と判定する。一方、外気が暖かくなると、暖房機の使用が次第に少なくなることから、連続して暖房使用する状態から暖房機の使用が次第に減少し、連続して使用しなくなり、所定日数連続して暖房機を使用しないということは、外気が暖かくなったということであり、このように所定日数連続不使用であると、冬季が終了したと判定する。尚、連続使用、連続不使用に加えて、暖房の使用時間や温度設定など稼働状況をも考慮するようにしてもよく、これらも考慮することによって、冬季をより正確に判定することができる。
【００２２】
排気の熱を回収するのは冬季だけであり、非居室が浴室である場合、浴室の暖房の使用状況でもって季節の判断を行う。浴室の暖房は外気が寒くなってきたときに行うことから、冬季を判定する際の目安となる。暖房機の使用頻度が多くなってきたことを判断して冬季と判定すれば、仮に夏場に操作ミスをして暖房機を稼働させても、その使用頻度が高くならず、冬季を間違いなく判定することができる。
【００２３】
また、冬季でないことの判定の条件も、使用頻度を考慮したものとする。例えば、タイマなどで期間を設定して冬期間運転モードとすることも可能であるが、冬の期間は毎年変化するので、このように期間設定するのは適切でなく、暖房する、暖房しないという暖房機の実使用に沿って冬季を判定する方がより適切に判定することができる。
【００２４】
本発明の請求項４の熱回収型換気システムは、請求項１〜３のいずれかにおいて、前記温暖検知手段は、前記非居室の前記暖房機による温暖状態が所定温暖状態に達したかを検知することを特徴とする。
【００２５】
この熱回収型換気システムにおいては、温暖検知手段として暖房機に装備された検知手段が利用され、この検知手段により非居室の所定温暖状態を検知することによって、比較的簡単な構成で所定温暖状態を検知することができる。
【００２６】
本発明の請求項５に記載の熱回収型換気システムは、請求項４において、前記温暖検知手段は、前記非居室の温度を検知する温度検知手段と、前記温度検知手段の検知温度に基づいて温暖状態を判定する温暖判定手段とを含み、前記温暖判定手段は、前記温度検知手段の検知温度が設定暖房温度を超えたときに前記所定温暖状態に達したと判定し、また前記温度検知手段の検知温度が設定下限温度よりも低下したときに前記所定温暖状態でないと判定することを特徴とする。
【００２７】
この熱回収型換気システムにおいては、温暖状態を検知する手段として、暖房機に装備された温度検知手段が利用され、この温度検知手段の検知温度が設定暖房温度を越えたときに所定温暖状態と判定され、熱回収が行われる。また、この温度検知手段の検知温度が設定下限温度（熱回収を行う下限温度）よりも低くなると、所定温暖状態でないと判定され、効率的な熱回収ができないとして、熱回収が停止する。暖房機には温度検知手段が装備されているため、暖房機の温度検知手段を利用することで新たな温度検知手段の追加を必要とせず、温度検知手段についてのコストアップをなしにすることができる。
【００２８】
この設定下限温度は、例えば、非居室の暖房開始時の温度とすることができ、非居室の暖房を行う前の定常温度とするのが望ましい。この場合、設定下限温度値はできるだけ外気空気温度近くなるが、外気空気温度よりも幾分高い方が、熱回収効率を低下させずに熱回収モードを切り換えることができる。
【００２９】
非居室の空気温度は暖房開始時の居室の状態により居室の空気温度を反映していないことがある。非居室が浴室である場合、暖房開始時が浴槽のお湯張り後であったとき、浴室の温度は外気よりも著しく高くなっている。従って、暖房開始時の非居室の温度を設定下限温度にすると、浴室の熱を十分に回収しないうちに熱回収モードから非回収モードに切り換わってしまう。これを防止するために、非居室の温度をモニターしておき、暖房機運転開始時から所定時間さかのぼったときの定常温度を設定下限温度に設定するとか、或いはこの定常温度に数度（ｄｅｇ）加えた温度を設定下限温度に設定するのが望ましく、このようにすることによって、非居室が外気に近い温度になるまで排気の熱回収を行うことができ、より多くの熱エネルギーの回収が可能となる。
【００３０】
尚、熱回収モードから非回収モードへ切り換える設定下限温度は、浴室温度を検知する浴室温度検知手段の検知温度を利用してもよく、この場合、暖房運転開始時の浴室温度検知手段の検知温度を用いてもよいし、暖房開始時から所定時間さかのぼったときの定常状態における浴室温度検知手段の検知温度（即ち、浴室定常温度）を用いるようにしてもよい。前者の場合、浴槽への給湯やシャワーの散水後に暖房開始を行うときと、それらの前に暖房運転を開始するときとでと設定下限温度が変わってくる可能性があるが、後者の場合、浴室が温められていない温度を用いるので、上述したような不都合が生じることが少なくなる。
【００３１】
本発明の請求項６に記載の熱回収型換気システムでは、請求項４において、前記温暖検知手段は、更に、前記非居室の温度変化率を検知する温度変化率演算手段と、前記温度変化率演算手段により演算された温度変化率に基づいて温暖状態を判定する第２温暖判定手段とを含み、前記第２温暖判定手段は、前記温度変化率演算手段により演算された温度変化率が所定増加変化率値よりも小さくなると前記所定温暖状態に達したと判定し、前記温度変化率が所定下降変化率値よりも小さくなると所定温暖状態から外れたと判定することを特徴とする。
【００３２】
この熱回収型換気システムにおいては、非居室の温度変化率も用いて所定温暖状態であるかの判定が行われる。非居室が暖房されて室温が上昇するときには、暖房開始時には温度上昇率が大きいが、室温が温められるとその温度上昇率が小さくなる。このような温度増加変化率の変化を利用し、温度増加変化率が小さくなったことを検知して、非居室が充分に暖められて温暖状態にあると判定し、非回収モードから熱回収モードに切り換えられる。また、非居室が換気されて室温が下がるときには、換気開始時には温度下降率が大きいが、換気時間が長くなるとその温度下降率が小さくなる。このような温度下降変化率の変化を利用し、温度下降変化率が小さくなったことを検知して、非居室の温度が低下して温暖状態でないと判定し、熱回収モードから非回収モードに切り換えられる。
【００３３】
所定温暖状態を検知するのに所定暖房温度のように一定のしきい値を用いる場合、建築の特性によってそのしきい値を超えないことが生じるおそれがある。従って、到達温度付近に達していることを非居室の暖房機の温度検知手段を用いて検知し、非居室の温度増加変化率が小さくなったときに非回収モードから熱回収モードに切り換える。
【００３４】
非居室が浴室である場合、浴室に適用する暖房機として、浴室の温度が上昇してくるとその放熱器の放熱効率が変化するタイプのものがある。暖房時の浴室の温度上昇値（到達値）は、浴室の熱負荷（浴室を単位温度上昇させるのに必要な熱量で、浴室の熱容量と放熱量のバランスから決定される）によることになるが、到達温度付近での放熱器の放熱効率の変化は一定の挙動を示す。従って、この形態の暖房機では、放熱効率の変化率をモニターすることで、建築の特性によらずに浴室が充分に暖まっているのかを検知することができる。
【００３５】
本発明の請求項７に記載の熱回収型換気システムは、請求項１〜６のいずれかにおいて、前記排気通路には、暖房機が設置された複数の非居室からの排気が導かれるように構成され、前記冬季判定手段は、前記複数の非居室の前記暖房機のうちいずれか一つの使用状態に基づいて冬季の判定を行うことを特徴とする。
【００３６】
この熱回収型換気システムにおいては、非居室の暖房機の使用頻度は、そのユーザーの生活習慣や建物の特性により変わり、複数の非居室の各々の暖房機のいずれか一つの使用状態に基づいて冬季の判定を行い、この判定結果を利用して熱回収の要否を行うので、熱回収の要否の判断が確実なものとなる。
【００３７】
【発明の実施の形態】
以下、添付図面を参照して、本発明に従う熱回収型換気システムの実施形態について説明する。
第１の実施形態
まず、図１〜図６を参照して、第１の実施形態の熱回収型換気システムについて説明する。図１は、第１の実施形態の熱回収型換気システムを簡略的に示す図であり、図２は、図１の熱回収型換気システムの制御系を簡略的に示すブロック図であり、図３は、図１の熱回収換気システムにおいて、浴室換気の場合の運転の流れを示すフローチャートであり、図４は、図２の制御系において、浴室の利用回数演算手段による演算の流れを示すフローチャートであり、図５は、図２の制御系において、冬季判定手段による冬季判定の流れを示すフローチャートであり、図６は、図２の制御系において、設定下限温度の設定の流れを示すフローチャートである。
【００３８】
図１及び図２において、図示の熱回収型換気システムは、住人の居る時間が長い居室２（例えば、リビング、ダイニングなど）内の空気を屋外４に換気するための換気装置本体６を備え、この換気装置本体６の装置ハウジング８内に、居室２内の空気を屋外４に排気するための排気通路１０と、屋外４の空気を居室４内に給気するための給気通路１２が設けられている。排気通路１０の吸入側には第１排気ダクト１４が接続され、その排出側には第２排気ダクト１６が接続されている。また、給気通路１２の吸入側には第１給気ダクト１８が接続され、その排出側には第２給気ダクト２０が接続されている。
【００３９】
この実施形態では、排気通路１０の下流側部には換気ファン２２が配設され、この換気ファン２２は換気用モータ２４によって所定方向に回転駆動される。また、給気通路１２の上流側部には給気ファン２６が配設され、この給気ファン２６は給気用モータ２８によって所定方向に回転駆動される。更に、排気流路１０から給気流路１２にわたって換気用熱交換器３０が設けられている。熱交換器３０は、排気の熱を給気に伝導するための熱伝導手段を構成する。
【００４０】
居室２を換気するときには、換気用モータ２４及び給気用モータ２８が作動し、換気ファン２２の作用によって、居室２内の空気が第１排気ダクト１４、装置ハウジング８の排気通路１０及び第２排気ダクト１６を通して矢印３２で示すように屋外４に排出されるとともに、給気ファン２６の作用によって、屋外４の空気が第１給気ダクト１８、装置ハウジング８の給気通路１２及び第２給気ダクト２０を通して居室２内に供給される。このとき、排気通路１０を流れる排気と給気通路１２を流れる給気との間で熱交換が行われ、この熱交換により排気の熱が回収されて給気が暖められ、暖められた給気が居室２に供給される。
【００４１】
この第１の形態では、非居室である浴室３６内を換気する際、換気する空気が換気装置本体６の排気通路１０に導かれるように構成されている。浴室３６には、暖房するための暖房機である浴室暖房乾燥機３８が取り付けられている。浴室暖房乾燥機３８は、循環用モータによって回動される循環ファン（いずれも図示せず）、換気用モータ４０によって回転される換気ファン４１及び暖房用熱交換器４２を備えており、暖房用熱交換器４２が供給ライン４４及び戻りライン４６を介して熱源機４８に接続されている。
【００４２】
浴室を暖房するときには熱源機４８及び循環用モータが作動され、熱源機４８にて生成された温水が供給ライン４４、熱源機４８及び戻りライン４６を通して循環されるとともに、循環ファンの作用によって浴室３６内の空気が暖房用熱交換器４２の周囲を通して循環され、熱交換器４２において温水と空気との間で熱交換されて空気が暖められ、この暖められた空気が吹出し口５０から吹き出すことによって、浴室３６内が暖房される。また、換気のときには換気用モータ４０が作動され、換気用ファン４０の作用によって、浴室３６内の空気が後述する如くして屋外４に排出される。
【００４３】
浴室暖房乾燥機３８と換気装置本体６との間には、中間接続部材５２と第１及び第２接続ダクト５４，５６が設けられている。中間接続部材５２は中空箱状であり、浴室暖房乾燥機３８の背面側に取り付けられ、浴室暖房乾燥機３８の排気部５８が中空接続部材５２に接続されている。第１接続ダクト５４は、中間接続部材５２及び換気装置本体６の一端部側（図１において左端部側）に設けられ、中間接続部材５２内と装置ハウジング８の排気通路１０の上流側部とを連通し、第２接続ダクト５６は、中間接続部材５２及び換気装置本体６の他端部側（図１において右端部側）に設けられ、中間接続部材５２内と装置ハウジング８の排気通路１０の下流側部とを連通する。
【００４４】
この形態では、浴室暖房乾燥機３８の排気部５８には第１ダンパ６０が設けられ、第１接続ダクト５４には第２ダンパ６２が設けられ、また第２接続ダクト５６には第３ダンパ６４が設けられている。第１（又は第２、第３）ダンパ６０（又は６２，６４）にはダンパモータなどから構成される第１（又は第２、第３）駆動源６６（又は６８，７０）が設けられ、第１（又は第２、第３）駆動源６６によって、第１（又は第２、第３）ダンパ６０（又は６２，６４）が開閉される。第１ダンパ６０は、実線で示す開状態のときに浴室暖房乾燥機３８の排気部５８を開放し、二点鎖線で示す閉状態のときにこの排気部５８を閉塞する。第２ダンパ６２は、実線で示す開状態のときに第１接続ダクト５４を開放し、二点鎖線で示す閉状態のときに第１接続ダクト５４を閉塞する。また、第３ダンパ６４は、実線で示す開状態のときに第２接続ダクト５６を開放し、二点鎖線で示す閉状態のときに第２接続ダクト５６を閉塞する。
【００４５】
尚、図１から理解される如く、第１接続ダクト５４を流れる空気は排気通路１０の上流側部に送給されるので、換気用熱交換器３０の周囲を流れて排気されるので、この換気用熱交換器３０にて給気通路１２を流れる給気との間で熱交換が行われる。一方、第２接続ダクト５６を流れる空気は排気通路１０の下流側部に送給されるので、換気用熱交換器３０をバイパスして排気され、給気通路１２を流れる空気との間で熱交換が行われることはない。
【００４６】
主として図２を参照して、この換気システムは、居室２などに設置されるリモコン７２によって運転される。リモコン７２は運転スイッチ７４、停止スイッチ７６及び運転モード設定手段としての運転モードスイッチ７８を備えている。運転スイッチ７４は換気システムを運転するためのスイッチであり、停止スイッチ７６は換気システムの運転を停止するためのスイッチであり、また運転モードスイッチ７８は運転モードを設定するためのスイッチであり、この実施形態では、浴室３６内の空気を排気する際に熱回収を行う熱回収運転モードと、熱回収を行わない非熱回収運転モードとに設定することができ、熱回収運転モードにおいては、浴室３６から排出される排気の熱回収が後述するように行われる。
【００４７】
第１〜第３ダンパ６０〜６４などは、例えばマイクロコンピュータなどから構成されるコントローラ８０によって制御される。図示のコントローラ８０は、制御手段８２、モード切換手段８４、冬季判定手段８６、温暖判定手段８８、利用回数演算手段９０、温度変化率演算手段９２及び第２温暖判定手段９４を含んでいる。制御手段８２は第１〜第３駆動源６６，６８，７０などを後述する如く制御し、モード切換手段８４は、熱を回収する熱回収モードと熱の回収を行わない非回収モードとに切り換え、制御手段８２がモード切換手段８４の切換えを制御する。また、冬季判定手段８６は後述する如くして冬季を判定し、温暖判定手段８８は後述するようにして所定温暖状態であることを判定する。利用回数演算手段９０は浴室暖房乾燥機３８の利用の回数を後述するように演算する。
【００４８】
コントローラ８０は、更に、計時手段９６及びメモリ９８を含んでいる。計時手段９６は時刻を計時し、メモリ９８には、所定温暖状態と判定する設定暖房温度、熱回収モードから非回収モードに切り換わる設定下限温度、浴室３６内を暖房したと判定する暖房判定温度、浴室暖房乾燥機３８を利用した利用回数などが記憶される。
【００４９】
この実施形態では、浴室３６の温暖状態を検知するための温暖検知手段が設けられ、この温暖検知手段は浴室３６内の温度を検知する浴室温度検知センサ１００を含み、この浴室温度検知センサ１００及びコントローラ８０の温暖判定手段８８が温暖検知手段を構成する。この実施形態では、浴室暖房乾燥機１００に装備された室温検知センサが浴室温度検知センサ１００として機能し、このように構成することによって専用の温度検知センサを省略することができるが、浴室３６内の温度を検知する専用の温度検知センサを設けるようにしてもよい。
【００５０】
次に、図１及び図２とともに図３〜図６を参照して、上述した換気システムによる浴室３６の換気運転について説明する。運転モードスイッチ７８により熱回収運転モードを設定した場合において、リモコン７２の運転スイッチ７４を操作すると、浴室３６の換気は次のようにして行われる。運転スイッチ７４を操作して浴室３６の換気を行うと（ステップＳ１）、制御手段８２は第１駆動源６６を作動して第１ダンパ６０を閉状態から開状態にし（ステップＳ２）、浴室暖房乾燥機３８の排出部５８が開放される。尚、浴室３６の換気は、浴室暖房乾燥機３８の換気用モータ４０が作動して換気ファン４１が回動され、この換気ファン４１の作用により行われる。
【００５１】
次に、排気の熱を回収するのに充分な温暖状態であるかが判定される（ステップＳ３）。即ち、浴室温度検知センサ１００の検知信号がコントローラ８０に送られ、温暖判定手段８８はこの浴室温度センサ１００の検知温度に基づいて判定を行い、検知温度が設定暖房温度、例えば２５℃を超えると浴室３６内が所定温暖状態であると判定し、このように判定すると、ステップＳ３からステップＳ４に進むが、所定温暖状態でないと判定すると、ステップＳ３からステップＳ９に移る。
【００５２】
次いで、季節が冬季であるかの判定が行われる（ステップＳ４）。利用回数演算手段９０は、浴室暖房乾燥機３８の利用回数を図４に示すフローチャートに沿って演算し、冬季判定手段８８は、利用回数演算手段９０により演算された利用回数に基づいて図５に示すフローチャートに沿って冬季か否かの判定を行い、冬季判定手段８８が冬季と判定するとステップＳ５に進むが、冬季でないと判定するとステップＳ９に移る。
【００５３】
図４を参照して、利用回収演算手段９０による利用回数の演算について説明すると、浴室暖房乾燥機３８が浴室暖房運転される（ステップＳ１１）と、その暖房運転が１２時間以内の運転か否かが判断され（ステップＳ１２）、暖房運転終了から１２時間以内の運転であると、一日において複数回の暖房運転が行われたと判断し、利用回数演算手段９０は現在の利用回数をそのまま維持し（利用回数Ｎ＝ｎ）（ステップＳ１３）、ステップＳ１１に戻る。
【００５４】
一方、暖房運転終了から１２時間経過後の運転であると、前の暖房運転の運転日と異なる日の暖房運転であると判断し、ステップＳ１４に進む。ステップＳ１４では、浴室３６の温度が所定温度、例えば３０℃に達したか、換言すると浴室暖房運転により浴室３６内が充分に暖房されたかが判断され、浴室温度が所定温度に達すると、ステップＳ１５に進み、この運転日においても暖房運転が遂行されたとして利用回数演算手段９０は現在の利用回数に「１」を加算し（利用回数Ｎ＝ｎ＋１）、加算演算された利用回数値がメモリ９８に記憶され、暖房運転終了後に浴室暖房乾燥機３８が運転停止する（ステップＳ１６）。暖房が使われたかを判断するために３０分以上の連続運転の検知でもよい。
【００５５】
ステップＳ１４において、浴室温度が所定温度に達しないときには、ステップＳ１７に移り、運転停止かが判断され、運転停止していないときにはステップＳ１４に戻る。一方、運転停止したときにはステップＳ１８に進む。浴室暖房乾燥機３８が暖房運転されたが、浴室３６内の温度が所定温度に上昇しないということは、浴室暖房乾燥機３８が誤操作により暖房運転された可能性が高く、このような場合、利用回数演算手段９０は現在の利用回数値をそのまま維持し（利用回数Ｎ＝ｎ）（ステップＳ１８）、浴室暖房乾燥機３８の運転が停止する（ステップＳ１９）。利用回数演算手段９０は上述したようにして利用回数を演算するので、浴室暖房乾燥機３８が暖房運転された日であるか暖房運転されなかった日であるか、即ち暖房運転された日数を正確に演算することできる。
【００５６】
図５を参照して、冬季判定手段８６による判定の流れについて説明すると、浴室暖房乾燥機３８の暖房運転が行われる（ステップＳ２１）と、所定期間、例えば本日を含む過去５日以内に浴室暖房乾燥機３８の暖房運転が行われたかが判断され（ステップＳ２２）、この５日以内に暖房運転が行われた場合、ステップＳ２２からステップＳ２３に進むが、５日以内に暖房運転が一度も行われなかった場合、ステップＳ２２からステップＳ２４に移り、浴室暖房利用回数がゼロとなり（Ｎ＝０）、ステップＳ２６に移る。
【００５７】
ステップＳ２３に進むと、浴室暖房乾燥機３８の利用回数Ｎが所定回数、例えば４回以上であるかが判断され、４回以上である、即ち浴室暖房乾燥機３８が５日連続して、又は５日間のうち４日暖房運転されると、ステップＳ２５に進み、冬季判定手段８６は、外気が寒くて浴室暖房乾燥機３８の暖房運転の利用回数が増えたとして冬季であると判定する。一方、浴室暖房乾燥機３８の利用回数が所定回数未満（例えば、４回未満）であるときには、ステップＳ２３からステップＳ２６に移る。このようにしてステップＳ２４からステップＳ２６に、又はステップＳ２３からステップＳ２６に移ると、冬季判定手段８６は、外気がそれほど寒くなくて浴室暖房乾燥機３８を暖房運転の利用回数が少ないとして冬季でないと判定する。
【００５８】
ステップＳ３において浴室３６内が所定温暖状態であり、且つステップＳ４において冬季であると判定されると、ステップＳ５に進み、制御手段８２はモード切換手段８４を熱回収モードに制御し、モード切換手段８４が熱回収モード信号を生成し、この熱回収モード信号に基づいて第２及び第３駆動手段６８，７０が作用され、第２ダンパ６２が開状態に、第３ダンパ６４が閉状態に保持される。
【００５９】
この熱回収モードにおいては、浴室３６内から換気された空気は、浴室暖房乾燥機３８、中間接続部材５２及び第１接続ダクト５４を通して装置ハウジング８の排気通路１０に流れ、この排気通路１０及び第２排気ダクト１６を通して屋外４に排出される。このとき、換気用モータ２４は換気ファン２２を作動し、排気通路１０の空気は矢印３２で示す方向に流れるとともに、吸気用モータ２８は吸気ファン２６を作動し、屋外４の空気は吸気通路１２を通して矢印３４で示すように居室２に流れる。従って、浴室３６からの排気及び居室２からの排気の熱が、熱交換器３０の作用によって屋外４からの給気に伝導され、これら排気の熱が給気に回収され、熱交換により温められた給気が居室２に供給され、熱が屋外に無駄に排出されるのを少なくし、居室２の暖房効率を高めることができる。
【００６０】
そして、浴室３６の換気によりその温度が低下して所定温暖状態でなくなる、即ち設定下限温度（例えば、浴室暖房乾燥機３８の暖房運転開始時の浴室温度に設定される）以下になると、ステップＳ６からステップＳ７に進み、制御手段８２はモード切換手段８４を熱回収モードから非回収モードに制御し、モード切換手段８４が非回収モード信号を生成し、この非回収モード信号に基づいて第２及び第３駆動手段６８，７０が作用され、第２ダンパ６２が閉状態に、第３ダンパ６４が開状態に切り換えられる。
【００６１】
この非回収モードにおいては、浴室３６内から換気された空気は、浴室暖房乾燥機３８、中間接続部材５２及び第２接続ダクト５６を通して装置ハウジング８の排気通路１０に流れ、この排気通路１０及び第２排気ダクト１６を通して屋外４に排出される。このとき、換気ファン２２により排気通路１０の空気は矢印３２で示す方向に流れ、吸気ファン２６により屋外４の空気が吸気通路１２を通して矢印３４で示すように居室２に流れるが、浴室３６の排気は排気通路１０の熱交換器３０をバイパスして流れるので、浴室３６の排気と給気通路１２を流れる空気との間で熱交換が行われることはない。
【００６２】
一方、ステップＳ３において浴室が温暖状態でないと判定される、又はステップＳ４において冬季でないと判定されると、ステップＳ９に進み、制御手段８２はモード切換手段８４を非回収モードに制御し、上述したと同様に、モード切換手段８４からの非回収モード信号に基づいて第２ダンパ６２が閉状態に、第３ダンパ６４が開状態に保持される。従って、浴室３６内から換気された空気は、浴室暖房乾燥機３８、中間接続部材５２及び第２接続ダクト５６を通して装置ハウジング８の排気通路１０に流れ、この排気は空気通路１２を流れる空気との間で熱交換が行われることなく屋外４に排出される。
【００６３】
浴室３６の上述した換気は、浴室暖房乾燥機３８の運転が終了するまで行われ、その運転が終了すると、ステップＳ８からステップＳ１０に進み、制御手段８２は第１駆動源６６を作動して第１ダンパ６０を閉状態にし、これによって、浴室暖房乾燥機３８の排気部５８が閉塞される。
【００６４】
浴室３６の換気は、上述したようにして行われ、冬季で且つ排気が温暖状態にあるときには、その熱の回収が行われる。尚、浴室暖房乾燥機３８は浴室３６内を乾燥する乾燥運転も行うことが可能であるが、この乾燥運転においても浴室３６内の空気が換気運転と同様にして屋外４に排出されるので、換気運転のときと同様に、排気の熱を回収するようにすることができる。
【００６５】
この実施形態では、浴室３６内の温度が上昇して設定暖房温度を超えたときに温暖状態でありと判定し、また温度が下降して設定下限温度より下がったときに温暖状態でないと判定し、設定下限温度として、浴室暖房乾燥機３８の暖房運転開始時の温度を用いているが、暖房運転開始前に浴槽のお湯張りなどを行うと、この設定下限温度が高くなって熱の回収効率が低下するようになり、このような回収効率の低下を防止するために、この設定下限温度を図６に示すようにして設定するのが望ましい。
【００６６】
図６において、浴室温度検知センサ１００により浴室３６内の温度の検知が行われ（ステップＳ３１）、この浴室温度の測定が行われると、現在の測定浴室温度と所定時間（例えば６時間程度の適宜の時間が設定される）前の浴室温度との比較が行われる（ステップＳ３２）。そして、現在の測定浴室温度が所定時間前の浴室温度よりも高いときには、ステップＳ３３からステップＳ３４に進み、低い温度である所定時間前の浴室温度が設定下限温度として設定され、この浴室温度がメモリ９８に記憶され、この設定下限温度を用いて熱回収モードから非回収モードに切り換えられる。一方、現在の測定浴室温度が所定時間前の浴室温度よりも低いときには、ステップＳ３３からステップＳ３５に移り、現在の測定浴室温度が設定下限温度として設定され、現測定浴室温度がメモリ９８に記憶され、この測定浴室温度を用いて熱回収モードから非回収モードに切り換えられる。このようにすることによって、設定下限温度を浴室の定常温度に設定することができ、浴室の換気の際の熱回収を無駄なく効率的に行うことができる。
【００６７】
上述した形態では、浴室の温暖状態を設定暖房温度及び設定下限温度を用いて判定しているが、このような判定方法に代えて、又はこのような判定方法と組み合わせて次のようにすることもできる。即ち、浴室３６内の温度を検知する浴室温度検知センサ１００の検知温度の温度変化率を演算する温度変化率演算手段と、温度変化率演算手段により演算された変化率に基づいて温暖状態であるかを判定する第２温暖判定手段をコントローラ８０に含めるようにしてもよい。このように構成した場合、温度変化率演算手段は浴室温度検知センサ１００の検知温度に基づいて温度変化率を演算するが、この温度変化率は、温度が上昇するときの温度増加変化率と、温度が下降するときの温度下降変化率とがある。温度が上昇するときの温度増加変化率が大きいということは浴室３６内の温度が低く、その温度増加変化率が小さくなるということは浴室３６内が暖房されて温められたということであり、第２温暖判定手段は、この温度増加変化率が所定増加変化率値より小さくなると所定温暖状態に達したと判定する。また、温度が下降するときの温度下降変化率が大きいということは浴室３６内の温度が高く、その温度増加変化率が小さくなるということは浴室３６内の温度が次第に低下するということであり、第２温暖判定手段は、この温度下降変化率が所定下降変化率値より小さくなると所定温暖状態でないと判定する。このようにしても浴室３６が温暖状態であるか否かを所要の通りに判定することができる。
【００６８】
第２の実施形態
次に、図７〜図９を参照して、熱回収型換気システムの第２の実施形態について説明する。図７は、第２の実施形態の熱回収型換気システムの制御系を簡略的に示すブロック図であり、図８は、図７の熱回収換気システムにおいて、浴室換気の場合の運転の流れを示すフローチャートであり、図９は、図８の制御系において、浴室の利用回数演算手段による演算の流れを示すフローチャートである。
尚、以下の実施形態の説明において、第１の実施形態と実質上同一のものには同一の参照番号を付し、その説明を省略する。
【００６９】
図７において、この第２の実施形態では、熱源機４８の戻り温水の温度変化率を用いて浴室３６の温暖状態を判定しており、このことに関連して、コントローラ８０Ａは、戻り温水温度差演算手段１１２及び戻り温水温度変化率演算手段１１４を備えている。また、浴室３６の温度を検知する浴室温度検知手段１００に加えて、温水温度検知手段１１６が熱源機４８の戻りライン４６に配設され、この温水温度検知手段１１６の検知信号がコントローラ８０Ａに送給される。戻り温水温度差演算手段１１６は現時点の戻り温水の温度と所定時間（５〜３０秒程度の適宜に時間、例えば１０秒程度に設定される）前の戻り温水の温度とを演算し、温水温度変化率演算手段１１４は、現時点の戻り温水の温度と所定時間前の戻り温水の温度との温度変化率を演算する。第２の実施形態のその他の構成は、上述した第１の実施形態と実質上同一である。
【００７０】
次に、図７とともに図８及び図９を参照して、第２の実施形態の換気システムによる浴室３６の換気運転について説明する。運転モードスイッチ７８により熱回収運転モードを設定した場合において、運転スイッチ７４を操作して浴室３６の換気を行うと（ステップＳ４１）、第１ダンパ６０が開状態になり（ステップＳ４２）、浴室暖房乾燥機３８の排出部５８が開放される。
【００７１】
次に、戻り温水の温度変化率が所定値以下であるかが判断される（ステップＳ４３）。即ち、温水温度検知センサ１１６の検知信号がコントローラ８０Ａに送られ、戻り温水温度演算手段１１２は戻り温水の温度変化率を演算する。浴室３６内の温度が上昇して温暖状態になると、熱源機４８からの温水の熱が浴室の暖房にあまり消費されなく、戻り温水の温度変化率が小さくなり、このようなことから、戻り温水の温度変化率が小さくなると、温暖状態であると判定する一つの条件が満たされ、ステップＳ４３からステップＳ４４に進むが、この戻り温水の温度変化率が所定値よりも大きいと、浴室３６内が温暖状態でないとしてステップＳ５０に移る。
【００７２】
次いで、戻り温水の温度が上昇中であるかが判断される（ステップＳ４４）。
即ち、戻り温水温度差演算手段１１２が戻り温水の温度差を演算し、この演算値が正（プラス）であるかが判断される。戻り温水の温度差が正であるということは、浴室３６内が暖房されて温度が上昇中であるということであり、このことから、戻り温水の温度差が正であると、温暖状態であると判定する他の一つの条件が満たされ、ステップＳ４４からステップＳ４５に進むが、この戻り温水の温度差が負（マイナス）であると、ステップＳ４４からステップＳ５０に移る。
【００７３】
次に、浴室３６内の温度が設定下限温度（例えば、浴室暖房乾燥機３８の暖房開始時の浴室温度に設定される）以上であるかが判断される（ステップＳ４５）。浴室温度検知センサ１００からの検知信号がコントローラ８０Ａに送られ、この検知温度が設定下限温度以上であるかが判断される。浴室３６が浴室暖房乾燥機３８によって暖房されると、浴室温度が設定下限温度よりも上昇して高くなって温暖状態にあるということであり、このようなことから、浴室温度が設定下限温度以上であると、温暖状態であると判定する更に他の一つの条件が満たされ、ステップＳ４５からステップＳ４６に進むが、浴室温度が設定下限温度よりも低いと、ステップＳ４５からステップＳ５０に移る。
【００７４】
更に、季節が冬季であるかの判定が行われる（ステップＳ４６）。第２の実施形態では、利用回数演算手段９０は、浴室暖房乾燥機３８の利用回数を図９に示すフローチャートに沿って演算し、冬季判定手段８６は、利用回数演算手段９０により演算された利用回数に基づいて第１の実施形態と同様にして冬季か否かの判定を行い、冬季判定手段８６が冬季と判定するとステップＳ４７に進むが、冬季でないと判定するとステップＳ５０に移る。
【００７５】
図９を参照して、利用回収演算手段９０による利用回数の演算について説明すると、浴室暖房乾燥機３８が浴室暖房運転される（ステップＳ６１）と、その暖房運転が１２時間以内の運転か否かが判断され（ステップＳ６２）、暖房運転終了から１２時間以内の運転であると、利用回数演算手段９０は現在の利用回数をそのまま維持し（利用回数Ｎ＝ｎ）（ステップＳ６３）、ステップＳ６１に戻る。
【００７６】
一方、暖房運転終了から１２時間経過後の運転であると、前の暖房運転の運転日と異なる日の暖房運転であると判断し、ステップＳ６４に進む。ステップＳ６４では、温水温度検知センサ１１６の検知温度が利用され、戻り温水の温度変化率が所定値以下か、換言すると浴室の温度状態が所定の温度状態に達してきたかが判断され、続いてステップＳ６５において、温水温度検知センサ１１６の検知温度が上昇中である、換言すると、浴室３６内を暖房中であるかが判断される。
上記温度変化率が所定値以下で、且つ戻り温水の温度が上昇中であると、ステップＳ６６に進み、この運転日においても暖房運転が遂行されたとして利用回数演算手段９０は現在の利用回数に「１」を加算し（利用回数Ｎ＝ｎ＋１）、加算演算された利用回数値がメモリ９８に記憶され、暖房運転終了後に浴室暖房乾燥機３８が運転停止する（ステップＳ６７）。
【００７７】
ステップＳ６４において、戻り温水の温度変化率が所定値より大きいときにはステップＳ６８に移り、またステップＳ６５において戻り温水の温度が下降しているときにもステップＳ６８に移り、運転停止かが判断され、運転停止していないときにはステップＳ６４に戻る。一方、運転停止したときにはステップＳ６９に進む。浴室暖房乾燥機３８が暖房運転されたが、戻り温水の温度変化率が所定値以下にならない、又は戻り温水の温度が下降中であるとは、浴室暖房乾燥機３８が誤操作などにより暖房運転された可能性が高く、このような場合、利用回数演算手段９０は現在の利用回数値をそのまま維持し（利用回数Ｎ＝ｎ）（ステップＳ６９）、浴室暖房乾燥機３８の運転が停止する（ステップＳ７０）。このようにして利用回数を演算しても、浴室暖房乾燥機３８が暖房運転された日であるか否か、即ち暖房運転された日数を正確に演算することでき、このように演算された利用回数を用いて冬季判定手段８６は、上述したと同様にして冬季であるかの判定を行う。
【００７８】
ステップＳ４３、ステップＳ４４、ステップＳ４５及びステップＳ４６を経てステップＳ４７に進むと、制御手段８２はモード切換手段８４を熱回収モードに制御し、モード切換手段８４が熱回収モード信号を生成し、熱回収モード信号に基づいて第２ダンパ６２が開状態に、第３ダンパ６４が閉状態に保持される。
【００７９】
この熱回収モードにおいては、第１の実施形態と同様に、浴室３６内から換気された空気は、浴室暖房乾燥機３８、中間接続部材５２、第１接続ダクト５４、排気通路１０及び第２排気ダクト１６を通して屋外４に排出され、浴室３６からの排気及び居室２からの排気の熱が、熱交換器３０の作用によって屋外４から給気通路１２を通して居室２に供給される給気に伝導され、これら排気の熱が給気に回収され、熱が屋外に無駄に排出されるのを少なくし、居室２の暖房効率を高めることができる。
【００８０】
そして、浴室３６の換気によりその温度が低下して所定温暖状態でなくなる、即ち浴室温度が設定下限温度以下になると、ステップＳ４８からステップＳ４９に進み、制御手段８２はモード切換手段８４を熱回収モードから非回収モードに制御し、モード切換手段８４が非回収モード信号を生成し、この非回収モード信号に基づいて第２ダンパ６２が閉状態に、第３ダンパ６４が開状態に切り換えられる。
【００８１】
この非回収モードにおいては、第１の実施形態と同様に、浴室３６内から換気された空気は、浴室暖房乾燥機３８、中間接続部材５２及び第２接続ダクト５６、排気通路１０及び第２排気ダクト１６を通して屋外４に排出され、浴室３６の排気と給気通路１２を流れる空気との間で熱交換が行われることはない。
【００８２】
一方、ステップＳ４３において戻り温水の温度変化率が所定値より大きい、ステップＳ４４において戻り温水の温度が上昇中でない、ステップＳ４５において浴室温度が設定下限値より低い、又はステップＳ４６において冬季でないと判定された場合、ステップＳ５０に進み、制御手段８２はモード切換手段８４を非回収モードに制御し、上述したと同様に、モード切換手段８４からの非回収モード信号に基づいて第２ダンパ６２が閉状態に、第３ダンパ６４が開状態に保持される。従って、浴室３６内から換気された空気は、浴室暖房乾燥機３８、中間接続部材５２及び第２接続ダクト５６を通して装置ハウジング８の排気通路１０に流れ、この排気は空気通路１２を流れる空気との間で熱交換が行われることなく屋外４に排出される。
【００８３】
浴室３６の上述した換気は、浴室暖房乾燥機３８の運転が終了するまで行われ、その運転が終了すると、ステップＳ５１からステップＳ５２に進み、第１ダンパ６０が閉状態になり、浴室暖房乾燥機３８の排気部５８が閉塞される。
【００８４】
第３の実施形態
次に、図１０〜図１３を参照して、熱回収型換気システムの第３の実施形態について説明する。図１０は、第３の実施形態の熱回収型換気システムを簡略的に示す図であり、図１１は、図１０の熱回収型換気システムの制御系を簡略的に示すブロック図であり、図１２は、図１０の熱回収型換気システムにおいて、浴室換気の場合の運転の流れの一例を示すフローチャートであり、図１３は非居室換気の場合の運転の流れの一例を示すフローチャートである。
【００８５】
図１０及び図１１において、この第３の実施形態では、非居室として浴室３６に加えて第１部屋１３２及び第２部屋１３４が設けられ、三つの非居室３６，１３２，１３４の排気が換気装置本体６の排気通路１０を通して屋外４に排出されるように構成されている。そして、このことに関連して、中間接続部材５２Ｂの片側（図１０において左側）には、第１部屋１３２内の空気を換気するための第１換気ダクト１３６が接続され、この第１換気ダクト１３６には第４駆動源１３８によって開閉される第４ダンパ１４０が設けられている。また、中間接続部材５２Ｂの他側（図１０において右側）には、第２部屋１３４内の空気を換気するための第２換気ダクト１４２が接続され、この第２換気ダクト１４２には第５駆動源１４４によって開閉される第５ダンパ１４６が設けられている。
【００８６】
また、第１部屋１３２には、その室温を検知するための第１部屋温度検知センサ１４８が設けられ、第２部屋１３４には、その室温を検知するための第２部屋温度検知センサ１５０が設けられ、これら温度検知センサ１４８，１５０の検知信号はコントローラ８０Ｂに送給される。第１部屋１３２及び第２部屋１３４には、それぞれ、部屋を暖房するための暖房機（図示せず）、例えばエアコン、ストーブなどが設置され、この暖房機によって室内が暖房される。また、リモコン７２Ｂは、運転スイッチ７４、停止スイッチ７６及び運転モードスイッチ７８に加えて、換気設定スイッチ１５２が設けられている。この換気設定スイッチ１５２は、換気の行う非居室、即ち第１部屋１３２及び第２部屋１３４を設定するためのスイッチであり、第１部屋１３２（又は第２部屋１３４）を設定すると第１部屋１３２（又は第２部屋１３４）の換気が後述するように行われる。
【００８７】
更に、コントローラ８０Ｂは、第１部屋１３２が温暖状態にあるかを判定する第１部屋温暖判定手段１５４と、第２部屋１３４が温暖状態にあるかを判定する第２部屋温暖判定手段１５６を含んでいる。第１部屋温暖判定手段１５４は、第１部屋温度検知センサ１４８の検知温度を利用し、第１部屋１３２内の温度が第２下限温度以上であると温暖状態であると判定し、また第２部屋温暖判定手段１５６は、第２部屋温度検知センサ１５０の検知温度を利用し、第２部屋１３４内の温度が第３下限温度以上であると温暖状態であると判定する。第３の実施形態のその他の構成は、上述した第１の実施形態と実質上同一である。
【００８８】
次に、図１０及び図１１とともに図１２を参照して、第３の実施形態の換気システムによる浴室３６の換気運転について説明する。浴室３６の換気を行うと（ステップＳ７１）、第１ダンパ６０が開状態になる（ステップＳ７２）。そして、浴室温度（浴室温度検知センサ１００の検知温度）が第１下限温度以上か、即ち浴室３６が温暖状態かが判断され（ステップＳ７３）、次いで冬季であるかが判断される（ステップＳ７４）。即ち、浴室温度が第１下限温度以上で温暖判定手段８８が温暖状態であると判定し、且つ冬季判定手段８６が上述したようにして冬季と判定すると、ステップＳ７３からステップＳ７４を経てステップＳ７５に進むが、ステップＳ７３において浴室温度が第１下限温度よりも低いと判断される、又はステップＳ７４において冬季でないと判定されると、ステップＳ７６に移る。
【００８９】
このようにしてステップＳ７５に進むと、制御手段８２はモード切換手段８４を熱回収モードに制御し、モード切換手段８４が熱回収モード信号を生成し、この熱回収モード信号に基づいて第２ダンパ６２が開状態に、第３ダンパ６４が閉状態に保持され、浴室３６内から換気された空気は、中間接続部材５２Ｂ及び第１接続ダクト５４、排気通路１０及び第２排気ダクト１６を通して屋外４に排出され、このとき、浴室３６の排気と給気通路１２を通して流れる空気とが熱交換器３０にて熱交換され、熱回収により温められた空気が居室２に供給される。
【００９０】
一方、ステップＳ７３又はステップＳ７４からステップ７６に移ると、制御手段８２はモード切換手段８４を非回収モードに制御し、モード切換手段８４からの非回収モード信号に基づいて第２ダンパ６２が閉状態に、第３ダンパ６４が開状態に保持され、浴室３６内から換気された空気は、浴室暖房乾燥機３８、中間接続部材５２Ｂ、第２接続ダクト５６、排気通路１０及び第２排気ダクト１６を通して屋外２に排出され、空気通路１２を流れる空気との間で熱交換が行われることなく屋外４に排出される。
【００９１】
このような換気状態において、例えば第１部屋１３２の換気を行うと、ステップＳ７７からステップＳ７８に進み、第４ダンパ１４０が開状態となり、第１部屋１３２内の空気が中間接続部材５２Ｂに流れる。尚、第１部屋１３２の換気を行わないときにはステップＳ７７からステップＳ７９を経てステップＳ７３に戻り、第４ダンパ１４０は閉状態に保たれる（ステップＳ７９）。
【００９２】
第１部屋１３２の換気が行われると、第１部屋１３２の室温（第１部屋温度検知センサ１４８の検知温度）が第２下限温度以上であるか、即ち第１部屋１３２が温暖状態かが判断され（ステップＳ８０）、この室温が第２下限温度以上であると、ステップＳ８０からステップＳ８１に進み、第２ダンパ６２が開状態に、第３ダンパ６４が閉状態に保持され、浴室３６の排気及び第１部屋１３２の排気は第１接続ダクト５４及び排気通路１０を通して屋外２に排出され、浴室３６及び第１部屋１３２の排気の熱回収が上述したように行われる。一方、この室温が第２下限温度より低いと、ステップＳ８０からステップＳ８２に進み、第２ダンパ６２が閉状態に、第３ダンパ６４が開状態に切り換えられ、浴室３６の排気及び第１部屋１３２の排気は第２接続ダクト５６及び排気通路１０を通して屋外２に排出され、浴室３６及び第１部屋１３２の排気の熱回収は行われない。
【００９３】
このような換気は第１部屋１３２の換気が終了するまで行われ、この換気が終了すると、ステップＳ８３からステップＳ８４に進み、第４ダンパ１４０が閉状態となり、第１部屋１３２の換気が終了する。かくすると、非居室の換気は浴室３６のみとなるので、第２ダンパ６２が開状態に、第３ダンパ６４が閉状態になり（ステップＳ８５）、浴室３６の排気の熱回収が行われる。
【００９４】
上述した制御は浴室６の換気が終了するまで行われ、その換気運転が終了すると、ステップＳ８６からステップＳ８７に進み、第１ダンパ６０が閉状態になって浴室暖房乾燥機３８の排気部５８が閉塞され、浴室３６の換気が終了する。
【００９５】
次いで、図１０及び図１１とともに図１３を参照して、第３の実施形態の換気システムによる第１部屋１３２の換気運転について説明する。第１部屋１３２の換気を行うと（ステップＳ９１）、第４ダンパ１４０が開状態になる（ステップＳ９２）。そして、第１部屋１３２の室温が第２下限温度以上かが判断され（ステップＳ９３）、次いで冬季であるかが判断される（ステップＳ９４）。第１部屋１３２の室度が第２下限温度以上で、且つ冬季であると判定されると、ステップＳ９５に進むが、ステップＳ９３において浴室温度が第１下限温度よりも低いと判断される、又はステップＳ９４において冬季でないと判定されると、ステップＳ９６に移る。
【００９６】
ステップＳ９５に進むと、モード切換手段８４が熱回収モード信号を生成し、この熱回収モード信号に基づいて第２ダンパ６２が開状態に、第３ダンパ６４が閉状態に保持され、第１部屋１３２内から換気された空気は、中間接続部材５２Ｂ及び第１接続ダクト５４、排気通路１０及び第２排気ダクト１６を通して屋外４に排出され、このとき、浴室３６の排気と給気通路１２を通して流れる空気とが熱交換器３０にて熱交換され、熱回収により温められた空気が居室２に供給される。
【００９７】
一方、ステップＳ９３又はステップＳ９４からステップ９６に移ると、モード切換手段８４が非回収モード信号を生成し、この非回収モード信号に基づいて第２ダンパ６２が閉状態に、第３ダンパ６４が開状態に保持され、浴室３６内から換気された空気は、浴室暖房乾燥機３８、中間接続部材５２Ｂ、第２接続ダクト５６、排気通路１０及び第２排気ダクト１６を通して屋外２に排出され、空気通路１２を流れる空気との間で熱交換が行われることなく屋外４に排出される。
【００９８】
このような第１部屋１３２の換気状態において、例えば浴室３６の換気を行うと、ステップＳ９７からステップＳ９８に進み、第１ダンパ６０が開状態となり、浴室３６内の空気が中間接続部材５２Ｂに流れる。尚、浴室３６の換気を行わないときにはステップＳ９７からステップＳ９９を経てステップＳ９３に戻り、第１ダンパ６０は閉状態に保たれる（ステップＳ９９）。
【００９９】
浴室３６の換気が行われると、浴室温度が第１下限温度以上であるかが判断され（ステップＳ１００）、この浴室温度が第１下限温度以上であると、ステップＳ１００からステップＳ１０１に進み、第２ダンパ６２が開状態に、第３ダンパ６４が閉状態に保持され、第１部屋１３２の排気及び浴室３６の排気は第１接続ダクト５４及び排気通路１０を通して屋外２に排出され、第１部屋１３２及び浴室３６の排気の熱回収が上述したように行われる。一方、この浴室温度が第１下限温度より低いと、ステップＳ１００からステップＳ１０２に進み、第２ダンパ６２が閉状態に、第３ダンパ６４が開状態に切り換えられ、第１部屋１３２の排気及び浴室３６の排気は第２接続ダクト５６及び排気通路１０を通して屋外２に排出され、浴室３６及び第１部屋１３２の排気の熱回収は行われない。
【０１００】
このような換気は浴室３６の換気が終了するまで行われ、この換気が終了すると、ステップＳ１０３からステップＳ１０４に進み、第１ダンパ６０が閉状態となり、浴室３６の換気が終了する。かくすると、非居室の換気は第１部屋１３２のみとなるので、第２ダンパ６２が開状態に、第３ダンパ６４が閉状態になり（ステップＳ１０５）、第１部屋１３２の排気の熱回収が行われる。
【０１０１】
上述した制御は第１部屋１３２の換気が終了するまで行われ、その換気運転が終了すると、ステップＳ１０６からステップＳ１０７に進み、第４ダンパ１４０が閉状態になって第１換気ダクト１３６が閉塞され、第１部屋１４２の換気が終了する。
【０１０２】
上述した説明では、浴室３６を換気する場合、また第１部屋１３２を換気する場合について説明したが、第２部屋１３４を換気する場合も、上述したと同様に行われる。また、このような換気システムでは、冬季の判定に用いる暖房機は浴室暖房乾燥機３８でもよいが、第１部屋１３２又は第２部屋１３４に設置された暖房機などでもよく、非居室に設置される暖房機のいずれかの使用状況を利用して判定することができる。
【０１０３】
以上、本発明に従う熱回収型換気システムの実施形態について説明したが、本発明はこれら実施形態に限定されるものではなく、本発明の範囲を逸脱することなく種々の変形乃至修正が可能である。
【０１０４】
上述した実施形態では、暖房機として換気機能を有する浴室暖房乾燥機３８を用いているが、暖房機として専用の暖房機を用い、この専用暖房機と専用の換気装置とを組み合わせて用いるようにしてもよい。
【０１０５】
【発明の効果】
本発明の請求項１に記載の熱回収型換気システムによれば、冬季判定手段は非居室の暖房機の使用状態に基づいて冬季かを判定し、また温暖検知手段は非居室の温度状態により所定温暖状態であるかを検知し、冬季判定手段が冬季と判定し、且つ温暖検知手段が所定温暖状態であると検知すると、非回収モードから熱回収モードに切り換わるので、非居室から排気通路を通して排出される排気の熱が、熱伝導手段の作用によって、給気通路を通して室内に導かれる給気に伝達され、暖められた給気が室内に導かれ、かくして、排気の熱を回収して室内の暖房効率を高めることができる。また、冬季に非居室が暖まって所定温暖状態になってはじめて熱回収モードに切り換えられるため、非居室の換気を行う場合、熱回収の要否を確実に判断することができる。
【０１０６】
また、本発明の請求項２に記載の熱回収型換気システムによれば、非居室が所定温暖状態でなくなると、熱回収モードから非回収モードに切り換えられるので、熱回収が過度に行われて、居室への供給空気の温度が不必要に低下して居室の快適性が損なわれる不都合が防止される。
【０１０７】
また、本発明の請求項３に記載の熱回収型換気システムによれば、非居室の暖房機の稼働状況によって季節の変化が検知され、暖房機が所定日数連続して運転されると冬季と判定し、所定日数連続して運転されないと冬季でないと判定するので、比較的簡単に且つ確実に冬季であるか否かを判定することができる。
【０１０８】
また、本発明の請求項４の熱回収型換気システムによれば、温暖検知手段として暖房機に装備された検知手段を利用するので、比較的簡単な構成で所定温暖状態を検知することができる。
【０１０９】
また、本発明の請求項５に記載の熱回収型換気システムによれば、温暖状態を検知する手段として、暖房機に装備された温度検知手段が利用され、この温度検知手段の検知温度が設定暖房温度を越えたときに所定温暖状態と判定し、その検知温度が設定下限温度よりも低くなると所定温暖状態でないと判定するので、非居室の排気の熱回収を効率的に行うことができるとともに、新たな温度検知手段の追加を必要とせず、温度検知手段についてのコストアップをなしにすることができる。
【０１１０】
また、本発明の請求項６に記載の熱回収型換気システムによれば、非居室の室温の温度増加変化率の変化を利用し、温度増加変化率が小さくなったことを検知して、非居室が充分に暖められて温暖状態にあると判定し、また温度下降変化率が小さくなったことを検知して、非居室の温度が低下して温暖状態でないと判定するので、このようにしても非居室の温暖状態を検知することができる。
【０１１１】
また、本発明の請求項７に記載の熱回収型換気システムによれば、複数の非居室の暖房機のいずれか一つの使用状態に基づいて冬季の判定を行うので、熱回収の要否の判断を確実に行うことができる。
【図面の簡単な説明】
【図１】本発明に従う熱回収型換気システムの第１の実施形態を簡略的に示す図である。
【図２】図１の熱回収型換気システムの制御系を簡略的に示すブロック図である。
【図３】図１の熱回収換気システムにおいて、浴室換気の場合の運転の流れを示すフローチャートである。
【図４】図２の制御系において、浴室の利用回数演算手段による演算の流れを示すフローチャートである。
【図５】図２の制御系において、冬季判定手段による冬季判定の流れを示すフローチャートである。
【図６】図２の制御系において、設定下限温度の設定の流れを示すフローチャートである。
【図７】本発明に従う熱回収型換気システムの第２の実施形態における制御系を簡略的に示すブロック図である。
【図８】図７の熱回収換気システムにおいて、浴室換気の場合の運転の流れを示すフローチャートである。
【図９】図８の制御系において、浴室の利用回数演算手段による演算の流れを示すフローチャートである。
【図１０】本発明に従う熱回収型換気システムの第３の実施形態を簡略的に示す図である。
【図１１】図１０の熱回収型換気システムの制御系を簡略的に示すブロック図である。
【図１２】図１０の熱回収型換気システムにおいて、浴室換気の場合の運転の流れの一例を示すフローチャートである。
【図１３】非居室換気の場合の運転の流れの一例を示すフローチャートである。
【符号の説明】
２  居室
４  屋外
６  換気装置本体
１０  排気通路
１２  給気通路
３０  換気用熱交換器
３６  浴室
３８  浴室暖房乾燥機
４８  熱源機
５２，５２Ｂ  中間接続部材
６０，６２，６４，１４０，１４６  ダンパ
８０，８０Ａ，８０Ｂ  コントローラ
８２  制御手段
８４  モード切換手段
８６  冬季判定手段
８８  温暖判定手段
９０  利用回数判定手段
１００  浴室温度検知センサ
１１２  戻り温水温度差演算手段
１１４  戻り温水温度変化率演算手段
１１６  温水温度検知センサ
【図１】
2004293869.tif 000003
【図２】
2004293869.tif 000004
【図３】
2004293869.tif 000005
【図４】
2004293869.tif 000006
【図５】
2004293869.tif 000007
【図６】
2004293869.tif 000008
【図７】
2004293869.tif 000009
【図８】
2004293869.tif 000010
【図９】
2004293869.tif 000011
【図１０】
2004293869.tif 000012
【図１１】
2004293869.tif 000013
【図１２】
2004293869.tif 000014
【図１３】
2004293869.tif 000015